(57)【特許請求の範囲】
【請求項１】
眼用レンズであって、
前方湾曲レンズ外側表面及び前方湾曲レンズ内側表面を備える前方湾曲レンズであって、前記前方湾曲レンズ外側表面及び前記前方湾曲レンズ内側表面の両方が弓形形状を備える、前方湾曲レンズと、
後方湾曲レンズ内側表面及び後方湾曲レンズ外側表面を備える後方湾曲レンズであって、前記後方湾曲レンズ内側表面及び前記後方湾曲レンズ外側表面の両方が弓形形状を備え、前記前方湾曲レンズ内側表面及び前記後方湾曲レンズ内側表面がそれらの間に空洞を形成するように、前記前方湾曲レンズに隣接して位置する、後方湾曲レンズと、
を備え、
前記前方湾曲レンズ外側表面及び前記後方湾曲レンズ外側表面が前方に向かって凸状であり、
前記眼用レンズは、更に、
前記前方湾曲レンズ内側表面と前記後方湾曲レンズ内側表面との間に形成される前記空洞内に収容されるある体積の生理食塩水溶液及び油であって、それらの間にメニスカスを構成する、ある体積の生理食塩水溶液及び油と、
前記前方湾曲レンズ内側表面の一部であり、第１のセグメントと当該第１のセグメントの前方にある第２のセグメントとを備えるメニスカス壁であって、
前記第１のセグメントは円錐台の形状を含み、前記第２のセグメントは、トーラスを含み、前記第１のセグメントと機械的に連通しており、
前記トーラスが前記空洞に対して凸状であり、かつ前記メニスカスに境界線を形成する、
メニスカス壁と、
を備える眼用レンズ。
【請求項２】
前記メニスカス壁の少なくとも一部分上に導電性コーティングを更に備える、請求項１に記載の眼用レンズ。
【請求項３】
前記油の体積が、前記空洞内に収容される生理食塩水溶液の体積より少ない、請求項２に記載の眼用レンズ。
【請求項４】
前記油の体積が、生理食塩水溶液の体積の６６体積％以上である、請求項３に記載の眼用レンズ。
【請求項５】
前記油の体積が、生理食塩水溶液の体積の９０体積％以下である、請求項３に記載の眼用レンズ。
【請求項６】
前記油の密度が、前記生理食塩水溶液の密度と等しい、請求項２に記載の眼用レンズ。
【請求項７】
前記油の密度が、前記生理食塩水溶液の密度の±１０％以内である、請求項２に記載の眼用レンズ。
【請求項８】
前記油の密度が、前記生理食塩水溶液の密度の±５％以内である、請求項２に記載の眼用レンズ。
【請求項９】
前記導電性コーティングが、前記空洞の内側の区域から前記空洞の外側の区域に延在する、請求項２に記載の眼用レンズ。
【請求項１０】
前記空洞の外側の前記導電性コーティングの区域が、前記眼用レンズに電荷を提供するための電気端子を形成する、請求項９に記載の眼用レンズ。
【請求項１１】
前記生理食塩水溶液及び前記油がメニスカスを形成し、電荷を前記空洞の外側の前記導電性コーティングの区域に印加することが前記メニスカス壁に沿った前記メニスカスの接触位置に変化をもたらす、請求項９に記載の眼用レンズ。
【請求項１２】
前記電荷が、前記眼用レンズに直流を付与することにより与えられる、請求項９に記載の眼用レンズ。
【請求項１３】
前記電荷が、前記眼用レンズに２０．０ボルトを印加することにより与えられる、請求項９に記載の眼用レンズ。
【請求項１４】
前記電荷が、前記眼用レンズに１８．０ボルト〜２２．０ボルトの電位差を印加することにより与えられる、請求項９に記載の眼用レンズ。
【請求項１５】
前記電荷が、前記眼用レンズに５．０ボルトを印加することにより与えられる、請求項９に記載の眼用レンズ。
【請求項１６】
前記電荷が、前記眼用レンズに３．５ボルト〜７．５ボルトの電位差を印加することにより与えられる、請求項９に記載の眼用レンズ。
【請求項１７】
前記前方湾曲レンズ外側表面が、０以外の光学度数を有する、請求項３に記載の眼用レンズ。
【請求項１８】
前記前方湾曲レンズ内側表面が、０以外の光学度数を有する、請求項３に記載の眼用レンズ。
【請求項１９】
前記後方湾曲レンズ外側表面が、０以外の光学度数を有する、請求項３に記載の眼用レンズ。
【請求項２０】
前記後方湾曲レンズ内側表面が、０以外の光学度数を有する、請求項３に記載の眼用レンズ。
【請求項２１】
前記前方湾曲レンズ及び前記後方湾曲レンズのうちの１つ又は両方を通る、導電性の材料を充填するための通路と、前記通路を充填する導電材料と、を更に備える、請求項３に記載の眼用レンズ。
【請求項２２】
前記通路を充填する前記導電材料と電気的に導通している端子を更に備える、請求項２１に記載の眼用レンズ。
【請求項２３】
電荷を前記端子に印加することが、前記メニスカスの形状に変化をもたらす、請求項２２に記載の眼用レンズ。
【請求項２４】
前記前方湾曲レンズの前記内側表面の少なくとも一部分に沿って絶縁体コーティングを更に備え、前記絶縁体コーティングが電気絶縁体を含む、請求項３に記載の眼用レンズ。
【請求項２５】
前記絶縁体が、パリレン（登録商標）Ｃ（Parylene C）及びテフロン（登録商標）ＡＦ（Teflon AF）のうちの１つを含む、請求項２４に記載の眼用レンズ。
【請求項２６】
前記絶縁体が、前記導電性コーティングと、前記前方湾曲レンズと前記後方湾曲レンズとの間の前記空洞に収容される生理食塩水溶液との間の分離を維持するための境界区域を構成する、請求項２４に記載の眼用レンズ。
【請求項２７】
前記メニスカス壁と前記メニスカスとによって形成される角度が、３０°〜５０°を有する、請求項３に記載の眼用レンズ。
【請求項２８】
前記メニスカス壁に隣接するメニスカスの角張った部分を更に有し、前記角張った部分が、前記ある体積の生理食塩水溶液及び油を収容するための角度特性を有する、請求項２７に記載の眼用レンズ。
【発明の詳細な説明】
【技術分野】
【０００１】
（関連出願の相互参照）
本出願は、２０１１年７月１５日に出願された米国特許出願シリアル番号第１３／１８３，５７０号及び２０１０年８月２４日に出願された米国特許仮出願シリアル番号第６１／３７６，４２６号に対する優先権を主張するものである。
【０００２】
（発明の分野）
本発明は、一般に液体メニスカスレンズに関し、より具体的には、線形セグメント及び凸状セグメントを含む錘台形状のメニスカス壁を備える弓形液体メニスカスレンズを含む。
【背景技術】
【０００３】
液体メニスカスレンズは、様々な産業において公知である。図１Ａ及び１Ｂを参照しながら以下により詳細に説明されるように、既知の液体メニスカスレンズは、直線である軸線から固定された距離の点により形成される周辺表面によって円柱形状に設計されていた。既知の液体メニスカスレンズは、一般に第２の内側表面に平行であり、それぞれが円柱軸線に対して垂直である第１の内側表面を有する設計に制限されてきた。液体メニスカスレンズの使用の既知の例としては、電子カメラ及び携帯電話装置等の装置が挙げられる。
【０００４】
従来、コンタクトレンズ及び眼内レンズ等の眼科用装置には、矯正、美容又は治療的性質を有する生体適合性装置が挙げられている。例えば、コンタクトレンズは、視力矯正機能、美容改善、及び治療効果のうちの１つ以上を提供することができる。それぞれの機能は、レンズの物理的特性によって提供される。レンズに屈折性質を組み込む設計は、視力矯正機能を提供することができる。レンズに組み込まれる顔料は、美容強化を提供することができる。レンズに組み込まれる活性薬剤は、治療的機能を提供することができる。
【０００５】
最近では、電子部品がコンタクトレンズの中に組み込まれている。いくつかの部品は、半導体装置を含むことができる。しかしながら、液体メニスカスレンズの大きさ、形状及び制御態様を含む物理的制約が、眼科用レンズにおけるそれらの使用を不可能にしてきた。一般に、「ホッケーパック」形状と呼ばれることがある、液体メニスカスレンズの円柱形状は、ヒトの眼で機能できる何かをもたらすことがなかった。
【０００６】
加えて、湾曲した液体メニスカスレンズは、平行側面を有する液体メニスカスレンズの従来の設計に必ずしも存在しない物理的課題を含む。
【発明の概要】
【発明が解決しようとする課題】
【０００７】
したがって、本発明は、弓形前方湾曲レンズと弓形後方湾曲レンズとを含む液体メニスカスレンズを提供する。レンズ内に収容される液体を引き寄せる、及び退ける、のうちの１つ又はその両方をもたらし、別の液体とメニスカスを形成する物理的特色を有するメニスカス壁が、本発明に含まれる。
【課題を解決するための手段】
【０００８】
本発明によると、第１の弓形形状の光学部品は、第２の弓形形状の光学部品に隣接し、それらの間に空洞を形成する。生理食塩水溶液及び油は、空洞内に維持される。一般に、第１の弓形光学部品及び第２の弓形光学部品のうちの１つ又はその両方の周辺区域に位置するメニスカス壁に電荷を印加することにより、空洞内に維持される生理食塩水溶液と油との間に形成されるメニスカスの物理的形状が変化する。
【０００９】
本発明は、一般に線形形状を含み、その横断面が円錘台である第１セグメントと、光学軸に対して凸形状を含み、その横断面がトーラスセグメントを含む第２セグメントと、を本質的に含む複合形状に形成されたメニスカス壁を含む。
【図面の簡単な説明】
【００１０】
【図１Ａ】第１状態における従来の円柱形液体メニスカスレンズの例。
【図１Ｂ】第２状態における従来の円柱形液体メニスカスレンズの例。
【図２】本発明のいくつかの実施形態による、代表的な液体メニスカスレンズの断面プロファイル。
【図３】本発明のいくつかの実施形態による、代表的な弓形液体メニスカスレンズの一部分の断面。
【図４】弓形液体メニスカスレンズの更なる代表的な態様。
【図５】本発明のいくつかの実施形態による、弓形液体メニスカスレンズ内のメニスカス壁の要素。
【図６Ａ】その電力無印加状態の液体メニスカス境界線を示す、液体メニスカスレンズ内の線形−凸状メニスカス壁。
【図６Ｂ】その電力印加状態の液体メニスカス境界線を示す、液体メニスカスレンズ内の線形−凸状メニスカス壁。
【図６Ｃ】比較のために、１つの図で液体メニスカス境界線の無電力印加状態及び電力印加状態を示す、液体メニスカスレンズ内の線形−凸状メニスカス壁。
【図７Ａ】弓形液体メニスカスレンズの他の部分から切り離して見た、線形−凸状メニスカス壁の断面図。
【図７Ｂ】弓形液体メニスカスレンズの他の部分から切り離して見た場合に円錐台形状を含む、メニスカス壁の線形部分の断面図。
【図７Ｃ】弓形液体メニスカスレンズの他の部分から切り離して見た場合にトーラスセグメントを含む、光学軸に向かって凸状であるメニスカス壁の一部分の断面図。
【発明を実施するための形態】
【００１１】
本発明は、液体メニスカスレンズのメニスカス空洞を画定する前方湾曲レンズ及び後方湾曲レンズのうちの少なくとも１つを有する液体メニスカスレンズを提供する。
【００１２】
用語
本発明を目的とする本説明及び特許請求の範囲において、以下の定義が適用される、様々な用語が使用され得る。
【００１３】
接触角：液体メニスカス境界線とも呼ばれる油／生理食塩水溶液の界面がメニスカス壁と接触する角度。線形メニスカス壁の場合、接触角は、メニスカス壁と、液体メニスカス境界線がメニスカス壁と接触する点の液体メニスカス境界線に接する直線との間の角度として測定される。湾曲したメニスカス壁の場合、接触角は、メニスカス壁に接する直線と、それらが接触する点の液体メニスカス境界線との間の角度として測定される。
【００１４】
液体メニスカス境界線：生理食塩水溶液と油との間の弓形表面界面。一般に、表面は、片側が凹面であり、もう一方が凸面であるレンズを形成する。
【００１５】
メニスカス空洞：油及び生理食塩水溶液が維持される前方湾曲レンズと後方湾曲レンズとの間の弓形液体メニスカスレンズの空間。
【００１６】
メニスカス壁：前方湾曲レンズの内側の特定領域であり、そのためメニスカス空洞内にあり、その壁に沿って液体メニスカス境界線が移動する。
【００１７】
光学ゾーン：本明細書で使用する場合、眼科用レンズの装用者がそのゾーンを通して見ることになる、眼科用レンズの領域を指す。
【００１８】
角張った部分：光学部品上の２つの予め画定された液体の接触線の位置を含むのに十分な前方湾曲レンズ又は後方湾曲レンズの片のいずれかの内側表面の幾何学的特色。角張った部分は、通常、内角ではなくて外角である。液体の観点から、角張った部分は、１８０°より大きい角度である。
【００１９】
ここで図１Ａを参照すると、シリンダ１１０内に収容される油１０１及び生理食塩水溶液１０２を有する従来のレンズ１００の断面図が図示される。シリンダ１１０は、２つの光学材料１０６のプレートを含む。それぞれのプレート１０６は、平坦な内側表面１１３〜１１４を含む。シリンダ１１０は、本質的に回転対称である内側表面を含む。一部の従来の実施形態では、１つ以上の表面は、疎水性コーティングを含むことができる。電極１０５も、シリンダの周辺上又はその周りに含まれる。電気絶縁体もまた、電極１０５に隣接して使用され得る。
【００２０】
従来技術によると、内側表面１１３〜１１４のそれぞれは、本質的に平坦又は平面的である。界面表面１１２Ａは、生理食塩水溶液１０２Ａと油１０１との間で画定される。図１Ａに示すように、界面１１２Ａの形状は、生理食塩水溶液１０２Ａ及び油１０１の屈折率特性と組み合わされて、第１の内側表面１１３を通して入射光１０８を受容し、第２の内側表面１１３を通して発散光１０９を提供する。油１０１と生理食塩水溶液１０２との間の界面表面の形状は、電極１０５に電流を印加することにより変化し得る。
【００２１】
図１００Ａは、１００で図示される従来のレンズの斜視図を図示する。
【００２２】
ここで図１Ｂを参照すると、従来のレンズ１００は、通電された状態で図示される。通電された状態は、電極１１５に電圧１１４を印加することによって達成される。油１０１と生理食塩水溶液１０２との間の界面表面１１２Ｂの形状は、電極１１５に電流を印加することにより変化する。図１Ｂに示すように、油１０１及び生理食塩水溶液１０２Ｂを通過する入射光１０８Ｂは、集束された光パターン１１１に集束される。
【００２３】
ここで図２を参照すると、液体メニスカスレンズ２００の断面図は、前方湾曲レンズ２０１と後方湾曲レンズ２０２を有する。前方湾曲レンズ２０１と後方湾曲レンズ２０２は、相互に隣接して位置決めされ、それらの間に空洞２１０を形成する。前方湾曲レンズは、凹状弓形内側レンズ表面２０３と、凸状弓形外側レンズ表面２０４とを含む。凹状弓形レンズ表面２０３は、１つ以上のコーティング（図２に図示せず）を有することができる。コーティングは、例えば、導電性の材料若しくは電気的に絶縁性の材料、疎水性材料若しくは親水性材料のうちの１つ以上を含むことができる。凹状弓形レンズ表面２０３及びコーティングのうちの１つ又はその両方は、空洞２１０内に収容される油２０８と液体連通及び光学連通している。
【００２４】
後方湾曲レンズ２０２は、凸状弓形内側レンズ表面２０５と、凹状弓形外側レンズ表面２０６とを含む。凸状弓形レンズ表面２０５は、１つ以上のコーティング（図２に図示せず）を有することができる。コーティングは、例えば、導電性の材料若しくは電気的に絶縁性の材料、疎水性材料若しくは親水性材料のうちの１つ以上を含むことができる。凸状弓形レンズ表面２０５及びコーティングのうちの少なくとも１つは、空洞２１０内に収容される生理食塩水溶液２０７と液体連通及び光学連通している。生理食塩水溶液２０７は、導電性である１つ以上の塩又は他の成分を含み、そのため、電荷に引き寄せられるか、又はそれによって退けられるかのいずれかであり得る。
【００２５】
本発明によると、導電性のコーティング２０９は、前方湾曲レンズ２０１及び後方湾曲レンズ２０２のうちの１つ又はその両方の周辺部の少なくとも一部分に沿って位置する。導電性のコーティング２０９は、金又は銀を含むことができ、好ましくは生体適合性である。電荷を導電性のコーティング２０９に印加することにより、生理食塩水溶液中の導電性の塩又は他の成分を引き寄せるか、又は退けるかのいずれかを生じさせる。
【００２６】
前方湾曲レンズ２０１は、凹状弓形内側レンズ表面２０３及び凸状弓形外側レンズ表面２０４を通過する光に関して光学度数を有する。光学度数は、０であるか、又は正若しくは負の度数であってもよい。一部の好ましい実施形態では、光学度数は、非限定的な例として、−８．０〜＋８．０ジオプターの度数等の矯正コンタクトレンズに典型的に見られる度数である。
【００２７】
後方湾曲レンズ２０２は、凸状弓形内側レンズ表面２０５及び凹状弓形外側レンズ表面２０６を通過する光に関して光学度数を有する。光学度数は、０であるか、又は正若しくは負の度数であってもよい。いくつかの実施形態では、光学度数（optical power）は、非限定的な例として、−８．０〜＋８．０ジオプターの度数等の矯正コンタクトレンズに典型的に見られる度数である。
【００２８】
様々な実施形態はまた、生理食塩水溶液２０７と油との間に形成される液体メニスカス２１１の形状の変化に関連する光学度数の変化も含むことができる。いくつかの実施形態では、光学度数の変化は、例えば、０〜２．０ジオプター変化の変化のように、比較的小さくてよい。他の実施形態では、液体メニスカスの形状の変化に関連する光学度数の変化は、最大約３０又はそれ以上のジオプターの変化であってよい。一般に、液体メニスカス２１１の形状の変化に関連するより大きな光学度数の変化は、比較的より厚いレンズ厚２１０に関連する。
【００２９】
コンタクトレンズ等の眼科用レンズに含まれ得るそれらの実施形態等の本発明のいくつかの実施形態によると、弓形液体メニスカスレンズ２００の横断レンズ厚２１０は、最大約１，０００マイクロメートルの厚さである。比較的より薄いレンズ２００の代表的なレンズ厚２１０は、最大約２００マイクロメートルの厚さである。好ましい実施形態は、約６００マイクロメートルの厚さのレンズ厚２１０の液体メニスカスレンズ２００を含むことができる。一般に、前方湾曲レンズ２０１の横断厚は、約３５マイクロメートル〜約２００マイクロメートルであってよく、後方湾曲レンズ２０２の横断厚はまた、約３５マイクロメートル〜約２００マイクロメートルであってもよい。
【００３０】
本発明によると、集合光学度数は、前方湾曲レンズ２０１、後方湾曲レンズ２０２、及び油２０８と生理食塩水溶液２０７との間に形成される液体メニスカス２１１の光学度数の総計である。いくつかの実施形態では、レンズ２００の光学度数は、前方湾曲レンズ２０１、後方湾曲レンズ２０２、油２０８及び生理食塩水溶液２０７のうちの１つ以上の間での屈折率の差も含む。
【００３１】
コンタクトレンズに組み込まれる弓形液体メニスカスレンズ２００を含むそれらの実施形態では、コンタクト着用者が動くため、生理食塩水２０７及び油２０８について、湾曲した液体メニスカスレンズ２００内のそれらの相対位置で安定した状態を保つことが、更に望ましい。一般に、着用者が動くとき、油２０８が、生理食塩水２０７に対して浮動かつ移動するのを防止することが好ましく、したがって、油２０８と生理食塩水溶液２０７の組み合わせは、好ましくは、同一又は類似する密度状態に選択される。加えて、油２０８と生理食塩水溶液２０７は、生理食塩水２０７と油２０８が混合しないように、比較的低い不混和性を有することが好ましい。
【００３２】
一部の好ましい実施形態では、空洞内に収容される生理食塩水溶液の体積は、空洞内に収容される油の体積より大きい。加えて、一部の好ましい実施形態は、後方湾曲レンズ２００の内側表面２０５の全体と本質的に接触する生理食塩水溶液２０７を含む。いくつかの実施形態は、生理食塩水溶液２０７の量と比較して、約６６体積％以上である体積の油２０８を含むことができる。一部の更なる実施形態は、生理食塩水溶液２０７の量と比較して、油２０８の体積が約９０体積％以下である弓形液体メニスカスレンズを含むことができる。
【００３３】
ここで図３を参照すると、端部分の弓形液体メニスカスレンズ３００の断面が図示される。上述のように、弓形液体メニスカスレンズ３００は、組み合わされた前方湾曲レンズ３０１成分及び後方湾曲レンズ３０２成分を含む。前方湾曲レンズ３０１及び後方湾曲レンズ３０２は、少なくとも部分的に透明である１つ以上の材料で形成され得る。いくつかの実施形態では、前方湾曲レンズ３０１及び後方湾曲レンズ３０２のうちの１つ又はその両方は、例えば、ＰＭＭＡ、Ｚｅｏｎｏｒ及びＴＰＸ等のうちの１つ以上の一般に光学的に明澄なプラスチックを含む。
【００３４】
前方湾曲レンズ３０１及び後方湾曲レンズ３０２のうちの１つ又はその両方は、単刃ダイヤモンド旋削旋盤加工、射出成形、デジタルミラーデバイスフリー成形のうちの１つ以上のプロセスによって成形され得る。
【００３５】
前方湾曲レンズ３０１及び後方湾曲レンズ３０２のうちの１つ又はその両方は、図示される導電性コーティング３０３を含むことができ、導電性コーティング３０３は、３０９〜３１０までの周辺部分に沿って延在する。一部の好ましい実施形態では、導電性コーティング３０３は、金を含む。金は、スパッタプロセス、蒸着又は他の公知のプロセスによって適用され得る。代替的な導電性コーティング３０３は、非限定的な例として、アルミニウム、ニッケル、及びインジウムとスズの酸化物を含むことができる。一般に、導電性コーティング３０３は、前方湾曲レンズ３０１及び後方湾曲レンズ３０２のうちの１つ又はその両方の周辺区域に適用される。
【００３６】
本発明のいくつかの実施形態では、後方湾曲レンズ３０２は、特定の区域に適用される導電性コーティング３０４を有する。例えば、後方湾曲レンズ３０２の周辺の周りの部分は、第１の境界線３０４−１〜第２の境界線３０４−２まで被覆され得る。金コーティングは、例えば、スパッタプロセス又は蒸着によって適用され得る。いくつかの実施形態では、前方湾曲レンズ３０１又は後方湾曲レンズ３０２の１つ以上の周辺部分の周りに、所定のパターンで、金又は他の導電材料を適用するために、マスクが使用され得る。代替の導電材料は、様々な方法を使用し、かつ後方湾曲レンズ３０２の様々な区域を被覆することにより適用され得る。
【００３７】
いくつかの実施形態では、例えば後方湾曲レンズ３０２の１つ以上の穴又はスロット等を通る導電性通路は、例えば、導電性エポキシ等の導電性充填剤材料で充填され得る。導電性充填剤は、前方湾曲レンズ３０１及び後方湾曲レンズ３０２のうちの１つ又はその両方の内側表面上の導電性コーティングとの電気的導通を提供することができる。
【００３８】
本発明の別の態様において、前方湾曲レンズ３０１及び後方湾曲レンズ３０２のうちの１つ又はその両方は、前方湾曲レンズ３０１及び後方湾曲レンズ３０２（図示せず）の一般に中央区域の光学ゾーンが光学的に透明な材料を含むことができ、周辺部ゾーンが導電性の材料を含む光学的に不透明な区域を含むことができる、複数の異なる材料から作製され得る。光学的に不透明な区域はまた、制御回路及びエネルギー源のうちの１つ以上を含むこともできる。
【００３９】
更に別の態様において、いくつかの実施形態では、絶縁体コーティング３０５が前方湾曲レンズ３０１に適用される。非限定的な例として、絶縁体コーティング３０５は、第１の領域３０５−１〜第２の領域３０５−２に延在する区域に適用される。絶縁体は、例えば、パリレンＣ（Parylene C）、テフロンＡＦ（Teflon AF）、又は様々な電気的特性及び機械的特性並びに電気抵抗を備える他の材料を含むことができる。
【００４０】
いくつかの実施形態では、絶縁体コーティング３０５は、導電性コーティング３０３と、前方湾曲レンズ３０１と後方湾曲レンズ３０２との間の空洞内に収容される生理食塩水溶液３０６との間の分離を維持するための境界区域を作り出す。したがって、いくつかの実施形態は、正に帯電した導体３０３と負に帯電した生理食塩水溶液３０６が接触するのを防止するために、前方湾曲レンズ３０１及び後方湾曲レンズ３０２のうちの１つ又はその両方の１つ以上の区域でパターン化され、かつそこに位置付けられる絶縁体コーティング３０５を含み、導体３０３と生理食塩水溶液３０６の接触は、電気的短絡をもたらす。実施形態は、正に帯電した生理食塩水溶液３０６と負に帯電した導体３０３を含むことができる。
【００４１】
更に他の実施形態は、レンズ３００の操作に関連する回路のリセット機能として、導体３０３と生理食塩水溶液３０６との間の短絡を可能にすることができる。例えば、短絡状態は、レンズへの電源を分断し、生理食塩水溶液３０６及び油３０７をデフォルト位置に回復させる。
【００４２】
一部の好ましい実施形態は、空洞３１１の内側上の区域３０９〜空洞３１１の外側の区域３１０に延在する導体３０３を含む。他の実施形態は、例えば、防水導電性エポキシ等の導電材料３１３で充填され得る、前方湾曲レンズ又は後方湾曲レンズを通るチャネル３１２を含むことができる。導電材料３１３は、空洞の外側に電気端子を形成する、又はそれに接続され得る。電荷は、端子に印加され、チャネル３１２の導電材料３１３によってコーティングに伝導され得る。
【００４３】
絶縁体コーティング３０５の厚さは、レンズ性能のパラメータとして変化し得る。本発明によると、生理食塩水溶液３０６及び導体３０３を含む帯電した成分は、一般に、絶縁体コーティング３０５のいずれかの側に維持される。本発明は、絶縁体コーティング３０５の厚さと、生理食塩水溶液３０６と導体３０３との間の電場との間に間接的関係を提供し、生理食塩水溶液３０６及び導体３０３がより遠く離れて維持されるほど、電場は弱くなる。
【００４４】
一般に、本発明は、絶縁体コーティング３０５の厚さが増すと、電場の強さが劇的に落ちることを提供する。場がより近ければ、一般に球状液体メニスカス境界線３１４を移動するためにより多くのエネルギーが利用可能になる。生理食塩水溶液３０６と導体３０３との間の距離が増すと、生理食塩水溶液３０６と導体コーティング３０３の電場がより遠くに離れ、したがって、球状メニスカス境界線３１４を移動させることがより困難になる。反対に、絶縁体コーティング３０５がより薄ければ、球状液体メニスカス３０８の移動が絶縁体コーティング３０５の欠陥に対してより敏感になる。一般に、絶縁体コーティング３０５の比較的小さい穴でも、レンズ３００を短絡させる。
【００４５】
いくつかの実施形態では、レンズ３００内に収容される油３０７の密度と一般に同じ密度である生理食塩水溶液３０６を有することも望ましい。例えば、生理食塩水溶液３０６は、好ましくは、油３０７の密度の１０％以内である密度を有し、より好ましくは、生理食塩水溶液３０６は、油の密度の５％以内の密度、最も好ましくは約１％以内の密度を有する。いくつかの実施形態では、生理食塩水溶液３０６内の塩又は他の成分の濃度は、生理食塩水溶液３０６の密度を調節するように加減され得る。
【００４６】
本発明によると、弓形液体メニスカスレンズ３００は、前方湾曲レンズ３０１及び後方湾曲レンズ３０２とに関連した油３０７の移動を制限することにより、より安定した光学品質を提供する。弓形前方湾曲レンズ３０１及び後方湾曲レンズ３０２のうちの１つ又はその両方に関連した油３０７の移動の安定性を維持する１つの方法は、油３０７と生理食塩水溶液３０６が相対的に一致する密度を維持することである。加えて、前方湾曲レンズ３０１と後方湾曲レンズ３０２の両方の内側表面の湾曲設計により、生理食塩水溶液３０６の層の相対的な深度又は厚さは、従来の円柱レンズ設計と比較して減少する。したがって、油の移動及び油３０６と生理食塩水溶液３０７との間のメニスカスの破損の可能性を回避するために、レンズ３００内の油の位置の安定性が増す。
【００４７】
一部の好ましい実施形態では、生理食塩水溶液３０６は、比較的高い屈折率を提供する油３０７と比較して、低い屈折率を提供する。しかしながら、いくつかの実施形態では、油３０７と比較して高い屈折率を有する生理食塩水溶液３０６を含むことが可能であるが、そのような場合、油は、比較的低い屈折率を提供する。
【００４８】
前方湾曲レンズ３０１と後方湾曲レンズ３０２を相互に隣接した位置に固定するために接着剤３０８が使用されてよく、それによって、油３０７及び生理食塩水溶液３０６をそれらの間に保持する。接着剤３０８は、湾曲した液体メニスカスレンズ３００からの生理食塩水３０６又は油３０７の漏れがないように、シールの機能を果たす。
【００４９】
ここで図４を参照すると、生理食塩水溶液４０６と油４０７との間の液体メニスカス境界線４０１を備える湾曲した液体メニスカスレンズ４００が図示される。一部の好ましい実施形態によると、メニスカス壁４０５は、４０２と４０３との間に延在する弓形壁の第１の角度分岐によって前方湾曲レンズ４０４内に画定される。液体メニスカス境界線４０１は、電荷が１つ以上の導体コーティング又は導体材料４０８に沿って印加及び除去されると、メニスカス壁４０５を上方及び下方に移動させる。
【００５０】
一部の好ましい実施形態では、導電性コーティング４０３は、生理食塩水溶液４０６及び油４０７を保有する空洞４０９の内側の区域から生理食塩水４０６及び油４０７を収容する空洞４０９の外側の区域に延在する。そのような実施形態では、導電性コーティング４０３は、空洞４０９の外側の点の導電性コーティング４０３に印加された電荷の、空洞内の導電性コーティングの区域への管路であり、生理食塩水溶液４０６と接触してもよい。
【００５１】
ここで図５を参照すると、前方湾曲レンズ５０１及び後方湾曲レンズ５０２を有する弓形液体メニスカスレンズ５００の端部分の断面図が示される。弓形液体メニスカスレンズ５００は、生理食塩水溶液５０３及び油５０４を収容するために使用され得る。
【００５２】
弓形液体メニスカスレンズ５００の幾何学構造並びに生理食塩水溶液５０３及び油５０４の特性は、生理食塩水溶液５０３と油５０４との間の液体メニスカス境界線５０５の形成を容易にする。
【００５３】
一般に、本発明のいくつかの実施形態では、液体メニスカスレンズは、前方湾曲レンズ５０１及び後方湾曲レンズ５０２上に存在する、又はそれらを通る導電性コーティング、絶縁体コーティング、経路、及び材料のうちの１つ以上を有するコンデンサとして見ることができる。本発明によると、液体メニスカス境界線５０５の形状、したがって、液体メニスカス境界線５０５と前方湾曲レンズ５０１との間の接触角は、前方湾曲レンズ５０１及び後方湾曲レンズ５０２のうちの１つ又はその両方の少なくとも一部分の表面に印加される電荷に応じて変化する。
【００５４】
本発明によると、導電性コーティング又は材料によって生理食塩水溶液に印加される電流の変化は、メニスカス壁５０６に沿った液体メニスカス境界線５０５の位置を変化させる。移動は、第１の角張った部分５０６−１と第２の角張った部分５０６−２との間で生じる。
【００５５】
好ましい実施形態では、液体メニスカス境界線５０５は、第１の規模の電流がレンズに印加されるとき、例えば、電圧及び電流が無電力印加状態又は静止状態と相関するとき等、第１の角張った部分５０６−１にある、又はその付近にある。
【００５６】
電力印加状態とも呼ばれることのある電流の第２の規模の印加は、一般に第２の角張った部分５０６−２の方向へのメニスカス壁５０６に沿った液体メニスカス境界線５０５の移動と相間し、液体メニスカス境界線の形状を変化させることができる。
【００５７】
いくつかの実施形態では、メニスカス壁５０６は平滑面である。平滑なメニスカス壁５０６の表面は、絶縁体コーティングの欠陥を最小にすることができる。加えて、表面の構造の無作為な不規則性は、不均等な液体運動をもたらし、したがって、レンズを通電にしたとき、又は非通電にしたときに、不均等な、又は予測不可能なメニスカス運動を生じる場合があるため、平滑なメニスカス壁５０６が好ましい。いくつかの好ましい実施形態では、平滑なメニスカス壁は、メニスカス壁５０６に沿って約１．２５ナノメートル〜５．００ナノメートルの範囲の山と谷の測定値を有する。
【００５８】
別の態様において、いくつかの実施形態では、メニスカス壁５０６が疎水性であることが望ましく、この場合、ナノ構造表面等の画定された構造は弓形液体メニスカスレンズの設計に組み込まれ得る。
【００５９】
更に別の態様において、いくつかの実施形態では、メニスカス壁５０６は、レンズの光学軸に対して角度をなしてよい。角度は、０°（又は光学軸に平行）〜９０°付近（光学軸に対して垂直）の範囲であることができる。図示されるように、一部の好ましい実施形態では、メニスカス壁５０６の角度は、弓形液体メニスカスレンズが液体メニスカス境界線５０５と絶縁体被覆されたメニスカス壁５０６との間の所与の電流接触角（current contact angle）で機能するために、一般に、約３０°〜５０°である。異なる材料の使用、又は望遠視力等の異なる光対物レンズの使用により、メニスカス壁５０６の角度は、０°又は９０°に近くてよい。
【００６０】
本発明によると、メニスカス壁５０６の角度は、特定の電圧及び電流の印加時に、メニスカス壁５０６に沿った移動の規模に適応するように設計され得る。いくつかの実施形態では、メニスカス壁５０６の角度が増加すると、レンズの度数を変更する能力は、一般に、所与のレンズの大きさ及び電圧パラメータ内で減少する。加えて、メニスカス壁５０６が光学軸に対して０°である、又はそれ付近である場合、液体メニスカス境界線５０５は、前方光学部品上にほぼ直線に導かれる。メニスカス壁の角度は、レンズ性能に様々な成果を提供するように調整され得るいくつかのパラメータのうちの１つである。
【００６１】
一部の好ましい実施形態では、メニスカス壁５０６は、長さが約０．２６５ｍｍである。しかしながら、全体的なレンズの大きさとともに、メニスカス壁５０６の角度は、様々な設計でメニスカス壁５０６の長さに自然と影響を及ぼす。
【００６２】
一般に、油５０４が後方湾曲レンズ５０２に接触すると、弓形液体メニスカスレンズ５００は機能しないと考えられ得る。したがって、好ましい実施形態では、メニスカス壁５０６は、その最も近い点で、第１の角張った部分５０６−１と後方湾曲レンズ５０２との間に５０マイクロメートルの最小隙間を持たせるように設計される。他の実施形態では、隙間が減少すると、レンズが機能しないリスクは増加するが、最小隙間は、５０マイクロメートル未満であり得る。更に他の実施形態では、隙間は、レンズが機能しないリスクを軽減するように増加され得るが、望ましくない可能性がある全体的なレンズの厚さも増加する。
【００６３】
本発明の一部の好ましい実施形態の更に別の態様では、メニスカス壁５０６に沿って移動するとき、液体メニスカス境界線５０５の挙動は、ヤングの式を使用して推定され得る。ヤングの式は、乾燥表面上への水分の滴下により生じる力の平衡を定義し、完全に平坦な表面を仮定するが、基本的な性質が、弓形液体メニスカスレンズ５００内に作り出される電気湿潤されたレンズ環境に適用され得る。
【００６４】
第１の規模の電気エネルギーを、例えばレンズが無電力印加状態にあるとき等にレンズに印加すると、本明細書において液体メニスカス境界線５０５と称される油５０４と生理食塩水溶液５０３、油５０４とメニスカス壁５０６、並びに生理食塩水溶液５０３とメニスカス壁５０６との間の界面エネルギーの平衡が達成され、結果として液体メニスカス境界線５０５とメニスカス壁５０６との間の平衡接触角が得られる。電圧の規模の変化が弓形液体メニスカスレンズ５００に印加されるとき、界面エネルギーの平衡が変化し、結果として液体メニスカス境界線５０５とメニスカス壁５０６との間の接触角に対応する変化がもたらされる。
【００６５】
絶縁体被覆されたメニスカス壁５０６を有する液体メニスカス境界線５０５の接触角は、液体メニスカス境界線５０５の移動におけるヤングの式でのその役割だけでなく、接触角がメニスカスの移動を制限するために弓形液体メニスカスレンズ５００の他の特色と組み合わせて使用されるため、弓形液体メニスカスレンズ５００の設計及び機能において重要な要素である。
【００６６】
液体メニスカス接触角において、角張った部分のうちの１つを超えて液体メニスカス境界線５０５を移動させるに十分な大きさの変化をもたらすには、電圧の顕著な変化を必要とするため、角張った部分５０６−１、５０６−２等の、メニスカス壁５０６の両端での不連続性は、液体メニスカス５０５の移動に関して境界線として機能する。非限定的な例として、いくつかの実施形態では、メニスカス壁５０６を有する液体メニスカス境界線５０５の接触角は、１５〜４０°の範囲であり、一方、第２の角張った部分５０６−２より下のステップ５０７を有する液体メニスカス境界線５０５の接触角は、おそらく、９０〜１３０°の範囲であり、一部の好ましい実施形態では、約１１０°である。
【００６７】
レンズへの印加電圧は、液体メニスカス境界線５０５をメニスカス壁５０６に沿って第２の角張った部分５０６−２に向かって移動させ得る。液体メニスカス境界線５０５と絶縁体被覆されたメニスカス壁５０６との自然接触角は、顕著により大きい電圧が供給されない限り、液体メニスカス境界線５０５を第２の角張った部分５０６−２にとどまらせる。
【００６８】
メニスカス壁５０６の一端で、第１の角張った部分５０６−１は、一般に、液体メニスカス境界線５０５が典型的に超えて移動しない限度を１つ画定する。いくつかの実施形態では、第１の角張った部分５０６−１は、鋭い縁として構築される。他の好ましい実施形態では、第１の角張った部分５０６−１は、欠陥の可能性があまりないように作製され得る画定された小さい半径方向の面を有する。導電性、絶縁体、及び他の可能な所望のコーティングは、鋭い縁上に均一かつ予測通りに堆積されない場合があり、一方、画定された半径方向の面の半径方向の縁は、より確実に被覆され得る。
【００６９】
いくつかの実施形態では、第１の角張った部分５０６−１は、約１０マイクロメートルの画定された半径を有する約９０°の角度で構築される。この角張った部分はまた、９０°未満の角度で作製されてもよい。いくつかの実施形態では、９０°より大きい角度の角張った部分は、角張った部分の頑丈さを増加するために使用され得るが、その設計はより大きいレンズ空間を取る。
【００７０】
様々な実施形態では、角張った部分５０６−１、５０６−２の画定された半径は、５マイクロメートル〜２５マイクロメートルの範囲であり得る。より大きい画定された半径は、コーティングの信頼性を向上させるが、レンズ設計の厳密な公差内でより大きい空間を使用するという代償を払って使用され得る。これにおいて、他の多くのレンズ設計分野のように、構成の容易さ、レンズ機能の最適化、及び大きさの最小化の間で、トレードオフが存在する。機能的で、信頼性のある弓形液体メニスカスレンズ５００は、広範な変動要素を使用して作製され得る。
【００７１】
第２の角張った部分５０６−２は、電圧が弓形液体メニスカスレンズ５００に印加される際、油の移動を制限するように設計された特色を有する。第２の角張った部分５０６−２は、いくつかの実施形態では、概ね尖った角張った部分を有する。他の実施形態では、第２の角張った部分５０６−２は、５〜２５マイクロメートル、最も好ましくは約１０マイクロメートルの画定された半径を有することができる。１０マイクロメートルの半径は、角張った部分として良好に機能し、単刃ダイヤモンド旋削旋盤又は射出成形プロセスを使用して作製され得る。
【００７２】
前方湾曲レンズ５０１の光学区域５０８の開始部分まで延在する、垂直又はほぼ垂直のステップ５０７は、メニスカス壁５０６に対向する第２の角張った部分５０６−２の側に含まれてよい。いくつかの実施形態では、ステップ５０７は１２０マイクロメートルの高さであるが、５０〜２００マイクロメートルの範囲であってよい。
【００７３】
いくつかの実施形態では、ステップ５０７は、光学軸から約５°の角度をなしてよい。他の実施形態では、ステップ５０７の角度は、僅か１°若しくは２°であるか、又は５°を超えた角度であってもよい。メニスカス壁５０６からステップ５０７上に移動するには、液体メニスカス境界線５０５の接触角のより大きな変化を必要とするため、光学軸からより小さい角度をなすステップ５０７は一般に、メニスカス移動のより効果的なリミッタとして機能する。ステップ５０７から光学区域５０８の開始部分への遷移経路は、２５マイクロメートルの半径である。より大きい半径は、レンズ設計内の空間を不必要により多く消費する。より小さい半径が可能であり、空間の獲得が必要ならば、行われ得る。この区域並びにレンズの他の区域において、理論的な角張った部分ではなくて画定された半径を使用するという決定は、一部、レンズ要素の射出成形プロセスへの潜在的な移行に基づく。ステップ５０７と光学区域５０８の開始部分との間の湾曲は、射出成形プロセス中の塑性流動を向上させ、最適な強度及び応力対処特性を備えたレンズをもたらす。
【００７４】
ここで図６Ａを参照すると、多くの可能な実施形態の１つにおいて、少なくとも１つの線形メニスカス壁セグメント６０１−１及び少なくとも１つの凸状メニスカス壁セグメント６０１−２を含む、複合メニスカス壁６０１が示される。複合メニスカス壁６０１は、油６０２及び生理食塩水溶液６０３を収容する弓形液体メニスカスレンズ内の光学軸から約４５°の角度に配置される。液体メニスカス境界線６０４Ａは、第１の角張った部分６０８に最も近い複合メニスカス壁６０１の端部に概ね近い、６０５Ａにおいて複合メニスカス壁６０１と接触する。接触角６０６Ａは、液体メニスカス境界線６０４Ａと複合メニスカス壁６０１−１との間に形成される。
【００７５】
図６Ｂには、壁６０１上の導電性コーティング（図示せず）に電圧を印加し、液体メニスカス境界線６０４Ｂが複合メニスカス壁６０１に沿って概して前方湾曲レンズ６０７に向かって移動した後の液体メニスカス境界線６０４Ｂの位置が示される。液体メニスカス境界線６０４Ｂは、一般にメニスカス壁の線形部分６０１−１からメニスカス壁の凸状部分６０１−２までの遷移区域内で６０５Ｂへと移動し、接触角６０６Ｂが得られる。
【００７６】
ここで図７Ａを参照すると、弓形液体メニスカスレンズの複合メニスカス壁７０１成分の斜視図が、弓形液体メニスカスレンズの残りの部分から切り離して示される。複合メニスカス壁７０１は、少なくとも１つの線形メニスカス壁セグメント７０１−１と、少なくとも１つの凸状メニスカス壁セグメント７０１−２と、を含む。この実施形態では、線形メニスカス壁セグメント７０１−１は第１の角張った部分７０２−１から概ね第２の角張った部分７０２−２に向かって延在し、凸状メニスカス壁セグメント７０１−２は線形メニスカス壁セグメント７０１−１の端部と第２の角張った部分７０２−２との間であってよい（between an end of the linear meniscus wall segment 701-1 terminated with a second sharp 702-2.）。一般に、複合メニスカス壁７０１は、レンズ全体の周囲で第１の角張った部分７０２−１と第２の角張った部分７０２−２との間で一貫した長さと、形状と有する。
【００７７】
ここで図７Ｂを参照すると、線形メニスカス壁セグメント７０１−１の斜視図が示され、線形メニスカス壁セグメントの形状は、概ね円錘台を有する。同様に図７Ｃには、トーラスセグメントとして、凸状メニスカス壁セグメント７０１−２の斜視図が示される。
【００７８】
図６Ｃは、無電力印加状態６０４Ａ及び電力印加状態６０４Ｂの両方における液体メニスカス境界線（６０４−Ａ及び６０４−Ｂ）の位置を図示するために、図６Ａ及び６Ｂを組み合わせたものである。図６Ｃに示されるように、光学軸に対して所定の角度で配置された複合メニスカス壁６０１を備える液体メニスカスレンズは、一般にレンズ性能に更なる安定性をもたらす。
【００７９】
メニスカス壁６０１の導電区域に電圧を印加すると、複合メニスカス壁６０１に沿って液体メニスカス境界線が移動する。凸状メニスカス壁セグメント６０１−２は、一般にリミッタ、つまりブレーキとして作用し、これによって複合メニスカス壁６０１に沿ったメニスカス境界線６０４Ｂの移動に更なる制御をもたらす。
【００８０】
液体メニスカス境界線６０４Ｂが凸状メニスカス壁セグメント６０１−２に達すると、液体メニスカスの接触角はより速い速度で増加し、液体メニスカスの移動を低速化させる。複合メニスカス壁６０１は、メニスカス壁の線形部分に沿って相対的に効率的なメニスカスの移動をもたらす。一方で、凸状壁部分は、特定のレンズ度数のターゲット区域におけるメニスカスの移動を低速化し、停止させる。
【００８１】
本発明は、特定の実地形態を参照して説明されてきたが、本発明の範囲から逸脱することなく、様々な変更が行われ、その要素が同等のものと置き換えられることがあり得ることは、当業者によって理解されるであろう。更に、発明の範囲から逸脱することなく、本発明の教示に対し、特定の状況又は材料を適合するように、多くの修正が行われ得る。
【００８２】
したがって、本発明は、本発明を実施するうえで考えられる最良の態様として開示される特定の実施形態に限定されるものではなく、付属の請求項の範囲及び趣旨に包含されるすべての実施形態を含むものである。
【００８３】
〔実施の態様〕
（１）  光学レンズであって、
前方湾曲レンズ外側表面及び前方湾曲レンズ内側表面を備える前方湾曲レンズであって、前記前方湾曲レンズ外側表面及び前記前方湾曲レンズ内側表面の両方が弓形形状を備える、前方湾曲レンズと、
後方湾曲レンズ内側表面及び後方湾曲レンズ外側表面を備える後方湾曲レンズであって、前記後方湾曲レンズ内側表面及び前記後方湾曲レンズ外側表面の両方が弓形形状を備え、前記前方湾曲レンズ内側表面及び前記後方湾曲レンズ内側表面がそれらの間に空洞を形成するように、前記前方湾曲レンズに隣接して位置する、後方湾曲レンズと、
前記前方湾曲レンズ内側表面と前記後方湾曲レンズ内側表面との間に形成される前記空洞内に収容されるある体積の生理食塩水溶液及び油であって、それらの間にメニスカスを構成する、ある体積の生理食塩水溶液及び油と、
トーラスを含む第２のセグメントと機械的に連通する概ね円錐台の形状を含む第１のセグメントを備えるメニスカス壁であって、前記トーラスが前記前方湾曲レンズ及び後方湾曲レンズを通って形成される光学軸に対して概ね凸状であり、かつ前記メニスカスに境界線を形成する、メニスカス壁と、を備える光学レンズ。
（２）  前記メニスカス壁の少なくとも一部分上に導電性コーティングを更に備える、実施態様１に記載の光学レンズ。
（３）  前記油の体積が、前記空洞内に収容される生理食塩水溶液の体積より少ない、実施態様２に記載の光学レンズ。
（４）  前記油の体積が、生理食塩水溶液の量に対して、約６６体積％以上を有する、実施態様３に記載の光学レンズ。
（５）  前記油の体積が、生理食塩水溶液の量に対して、約９０体積％以下を有する、実施態様３に記載の光学レンズ。
【００８４】
（６）  前記ある体積の油が、前記生理食塩水溶液の密度とほぼ等しい密度を有する、実施態様２に記載の光学レンズ。
（７）  前記ある体積の油が、前記生理食塩水溶液の密度の約１０％以内の密度を有する、実施態様２に記載の光学レンズ。
（８）  前記ある体積の油が、前記生理食塩水溶液の密度の約５％以内の密度を有する、実施態様２に記載の光学レンズ。
（９）  前記導電性コーティングが、前記空洞の内側の区域から前記空洞の外側の区域に延在する、実施態様２に記載の光学レンズ。
（１０）  前記空洞の外側の前記導電性コーティングの区域が、前記液体メニスカスレンズに電荷を提供するための電気端子を形成する、実施態様９に記載の光学レンズ。
【００８５】
（１１）  前記生理食塩水溶液及び前記油がメニスカスを形成し、電荷を前記空洞の外側の前記導電性コーティングの区域に印加することが前記メニスカス壁に沿った前記メニスカスの接触位置に変化をもたらす、実施態様９に記載の光学レンズ。
（１２）  前記電荷が、直流を構成する、実施態様９に記載の光学レンズ。
（１３）  前記電荷が、約２０．０ボルトを有する、実施態様９に記載の光学レンズ。
（１４）  前記電荷が、約１８．０ボルト〜２２．０ボルトを有する、実施態様９に記載の光学レンズ。
（１５）  前記電荷が、約５．０ボルトを有する、実施態様９に記載の光学レンズ。
【００８６】
（１６）  前記電荷が、約３．５ボルト〜約７．５ボルトを有する、実施態様９に記載の光学レンズ。
（１７）  前記前方湾曲レンズ外側表面が、約０以外の光学度数を有する、実施態様３に記載の光学レンズ。
（１８）  前記前方湾曲レンズ内側表面が、約０以外の光学度数を有する、実施態様３に記載の光学レンズ。
（１９）  前記後方湾曲レンズ外側表面が、約０以外の光学度数を有する、実施態様３に記載の光学レンズ。
（２０）  前記後方湾曲レンズ内側表面が、約０以外の光学度数を有する、実施態様３に記載の光学レンズ。
【００８７】
（２１）  前記前方湾曲レンズ及び前記後方湾曲レンズのうちの１つ又は両方を通るチャネルと、前記チャネルを充填する導電材料と、を更に備える、実施態様３に記載の光学レンズ。
（２２）  前記チャネルを充填する前記導電材料と電気的に導通している端子を更に備える、実施態様２１に記載の光学レンズ。
（２３）  電荷を前記端子に印加することが、前記メニスカスの形状に変化をもたらす、実施態様２２に記載の光学レンズ。
（２４）  前記前方湾曲レンズの前記内側表面の少なくとも一部分に沿って絶縁体コーティングを更に備え、前記絶縁体コーティングが電気絶縁体を含む、実施態様３に記載の光学レンズ。
（２５）  前記絶縁体が、パリレン（登録商標）Ｃ（Parylene C）及びテフロン（登録商標）ＡＦ（Teflon AF）のうちの１つを含む、実施態様２４に記載の光学レンズ。
【００８８】
（２６）  前記絶縁体が、前記導電性コーティングと、前記前方湾曲レンズと前記後方湾曲レンズとの間の前記空洞に収容される生理食塩水溶液との間の分離を維持するための境界区域を構成する、実施態様２４に記載の光学レンズ。
（２７）  前記メニスカス壁を構成する前記円錐台セグメントの角度が、約３０°〜５０°を有する、実施態様３に記載の光学レンズ。
（２８）  前記メニスカス壁に隣接するメニスカスの角張った部分（meniscus sharp）を更に有し、前記角張った部分が、前記ある体積の生理食塩水溶液及び油を収容するための角度特性を有する、実施態様２７に記載の光学レンズ。
（２９）  前記角張った部分が、半径方向の面部分を構成する、実施態様２７に記載の光学レンズ。
（３０）  前記半径方向の面部分が、５マイクロメートル〜２５マイクロメートルの範囲の半径を有する、実施態様２８に記載の光学レンズ。
【図１Ａ】
0005960141.tif 000002
【図１Ｂ】
0005960141.tif 000003
【図２】
0005960141.tif 000004
【図３】
0005960141.tif 000005
【図４】
0005960141.tif 000006
【図５】
0005960141.tif 000007
【図６Ａ】
0005960141.tif 000008
【図６Ｂ】
0005960141.tif 000009
【図６Ｃ】
0005960141.tif 000010
【図７Ａ】
0005960141.tif 000011
【図７Ｂ】
0005960141.tif 000012
【図７Ｃ】
0005960141.tif 000013